(57)【要約】【課題】密閉型の容器本体に対して蓋体の装着が容易で、しかも、十分な密閉性を確保することのできる運搬用容器を提供する。【解決手段】フランジ３の下面にアンダーカット部３０が係止される合成樹脂製の運搬用容器であって、蓋体２８にスリット状の切欠３２を設け、その両側に凹所３３、３３を両側に設け、これら一対の凹所３３、３３間および折り返しリブ１０の開口端縁１０ａとの間に、三股状のロック部材５０を着脱自在に差し渡すことにより、前記容器本体４と前記蓋体２８との間の嵌合を強固に固定したことを特徴としている。【選択図】　図４
2004067121.tif 000002
【特許請求の範囲】
【請求項１】
一方面が開口した容器本体（４）の開口部（２）に、該開口部（２）を囲繞するフランジ（３）を有するとともに、このフランジ（３）と略平行でやや下がった位置に折り返しリブ（１０）を有し、
容器本体（４）の前記フランジ（３）を跨ぐように蓋体（２８）の断面略コ字状の開口端部（５）が装着されたときに、前記フランジ（３）に前記蓋体（２８）のアンダーカット部（３０）が係止される合成樹脂製の運搬用容器であって、
前記蓋体（２８）の開口端縁にスリット状の切欠（３２）を設けるとともに、このスリット状の切欠（３２）を挟む態様で、一対の凹所（３３）、（３３）を設け、これら一対の凹所（３３）、（３３）間および折り返しリブ（１０）の開口端縁（１０ａ）との間に、三股状のロック部材（５０）を着脱自在に差し渡すことにより、前記容器本体（４）と前記蓋体（２８）との間の嵌合を保持することを特徴とする運搬用容器。
【請求項２】
一対の水平翼（５１）、（５１）とこれら一対の水平翼（５１）、（５１）の略中央から下方に垂下して中央翼（５２）を有し、これら水平翼（５１）、（５１）および中央翼（５２）の先端部には、それぞれ断面略コ字状の嵌合片（７）がそれぞれ形成されていることを特徴とするロック部材。
【請求項３】
一方面が開口した容器本体（４）の開口部（２）に、該開口部（２）を囲繞するフランジ（３）を有するとともに、このフランジ（３）と略平行でやや下がった位置に折り返しリブ（１０）を有し、
容器本体（４）の前記フランジ（３）を跨ぐように蓋体（２８）の断面略コ字状の開口端部（５）が装着されたときに、前記フランジ（３）に前記蓋体（２８）のアンダーカット部（３０）が係止される合成樹脂製の運搬用容器であって、
前記蓋体（２８）の開口端縁にスリット状の切欠（３２）を設けるとともに、このスリット状の切欠３２を挟む態様で、凹所（３３）、（３３）を設け、
さらに、前記容器本体（４）の開口端縁のフランジ（３）に、前記凹所（３３）に収容しうる突起（３５）を設け、前記蓋体（２８）を前記容器本体に被せたときに、これらの凹所（３３）、（３３）内に前記突起（３５）、（３５）が配置されることにより、前記容器本体（４）と前記蓋体（２８）との間の嵌合を保持することを特徴とする運搬用容器。
【発明の詳細な説明】
【０００１】
【発明の属する技術分野】
本発明は、運搬用容器に関するもので、詳しくは、医療関係で使用された廃棄物などを収容するのに好適な運搬用容器に関する。
【０００２】
【従来の技術】
従来から、医療関係で使用された物品、例えば注射針、脱脂綿、カテーテルなどは、密閉性の高い専用容器内に保管され、所定場所まで搬送されている。
このように物品を外部に露見しないように保管または運搬する密閉容器は、図６および図７に示したように、容器本体４の開口部２の天井部に、フランジ３と、これよりやや下がった位置に、断面略逆Ｌ字状の折り返しリブ１０がそれぞれ形成され、このフランジ３を跨ぐように、上方から略皿状の蓋体２８が装着される。
【０００３】
そして、このような専用容器では、容器本体４と蓋体２８との間に、シール部材２５が介在され、しかも蓋体２８を被せたときにアンダーカット部３０が弾性変形されフランジ３の下面に係止されるので、蓋体２８が容易には抜けない構造で、略密閉状態とされている。
このような運搬用容器は、通常は、一旦物が収容されたら、そのままの状態で運搬され、破棄あるいは焼却されている。
【０００４】
【発明が解決しようとする課題】
ところで、このような運搬用容器は、容器本体４の密閉度を向上させるために、上述したように、蓋体２８は容器本体４に緊密に嵌合されている。そのため、蓋体２８の取り付け作業は、比較的力を要し、力の弱い女性などは、作業し難いという問題があった。
【０００５】
特に、略矩形状の容器本体４の場合は、蓋体２８に形成された断面コ字状の開口端部が４角部で略直角に近い角度で交わるため、蓋体２８には、嵌め合わすときの逃げ場がなく、取り付け作業が一層困難であった。
本発明は、このような実情に鑑み、容器本体に対して蓋体の装着が容易で、しかも、十分な密閉性を確保することのできる運搬用容器を提供することを目的としている。
【０００６】
【課題を解決するための手段】
上記目的を達成するための本発明に係る運搬用容器は、
一方面が開口した容器本体４の開口部２に、該開口部２を囲繞するフランジ３を有するとともに、このフランジ３と略平行でやや下がった位置に折り返しリブ１０を有し、
容器本体４の前記フランジ３を跨ぐように蓋体２８の断面略コ字状の開口端部５が装着されたときに、前記フランジ３に前記蓋体２８のアンダーカット部３０が係止される合成樹脂製の運搬用容器であって、
前記蓋体２８の開口端縁にスリット状の切欠３２を設けるとともに、このスリット状の切欠３２を挟む態様で、一対の凹所３３、３３を設け、これら一対の凹所３３、３３間および折り返しリブ１０の開口端縁１０ａとの間に、三股状のロック部材５０を着脱自在に差し渡すことにより、前記容器本体４と前記蓋体２８との間の嵌合を保持することを特徴としている。
【０００７】
係る構成による本発明によれば、蓋体の開口端縁にスリット状の切欠が設けられているので、嵌め合わすときに蓋体を変形させようとする力をこの切欠により、吸収することができる。また、切欠が形成されていれば、蓋体は外れ易くなるが、ロック部材により係止することができるので、蓋体の外れを防止することができる。
【０００８】
また、本発明に使用されるロック部材は、一対の水平翼５１、５１とこれら一対の水平翼５１、５１の略中央から下方に垂下して中央翼５２を有し、これら水平翼５１、５１および中央翼５２の先端部には、それぞれ断面略コ字状の嵌合片７がそれぞれ形成されていることを特徴としている。
このようなロック部材であれば、比較的安価に製造することができ、しかも作業性が容易である。
【０００９】
さらに、本発明に係る運搬用容器は、
一方面が開口した容器本体４の開口部２に、該開口部２を囲繞するフランジ３を有するとともに、このフランジ３と略平行でやや下がった位置に折り返しリブ１０を有し、
容器本体４の前記フランジ３を跨ぐように蓋体２８の断面略コ字状の開口端部５が装着されたときに、前記フランジ３に前記蓋体２８のアンダーカット部３０が係止される合成樹脂製の運搬用容器であって、
前記蓋体２８の開口端縁にスリット状の切欠３２を設けるとともに、このスリット状の切欠３２を挟む態様で、凹所３３、３３を設け、
さらに、前記容器本体４の開口端縁のフランジ３に、前記凹所３３に収容しうる突起３５を設け、前記蓋体２８を前記容器本体に被せたときに、これらの凹所３３、３３内に前記突起３５、３５が配置されることにより、前記容器本体４と前記蓋体２８との間の嵌合を保持することを特徴としている。
【００１０】
このような構成であれば、別部材となるロック部材が不要になる。
【００１１】
【発明の実施の形態】
以下、図面を参照しながら本発明の実施例について説明する。
図１は本発明の一実施例による運搬用容器の容器本体を、図２は蓋体を、それぞれ示したもので、従来例の図６および図７と同一要素は同一符号で記している。
【００１２】
この運搬用容器の容器本体４は、底壁３１と、４側壁３７，３４，３５，３６とにより、略角筒状で一方面が開口して形成され、ポリプロピレンなどの合成樹脂により一体成形されている。
容器本体４の開口部２には、フランジ３と、このフランジ３からやや下がった位置に断面略逆Ｌ字状の折り返しリブ１０が全体を囲繞するように形成されている。
【００１３】
一方、蓋体２８は、略皿状に形成されている。そして、蓋体２８の四隅部には、スリット状の切欠３２が形成されるとともに、この切欠３２を挟む態様で両側に一対の凹所３３，３３が形成されている。なお、この凹所３３は、開口端に近い程、幅が若干広くなるようにテーパ状に形成されている。
一方、本実施例では、別部材として、図４に示したような三股状のロック部材５０が用意される。
【００１４】
このロック部材５０は、弾性変形可能な合成樹脂からなるもので、一対の水平翼５１，５１と、この中央部から下方に延びる中央翼５２とにより三股状に形成されたもので、各水平翼５１および中央翼５２とには、それぞれ断面略コ字状の嵌合片７が具備されている。
以下に、上記のように形成された蓋体２８を容器本体４に嵌合し、さらにロック部材５０で保持するときの組み付けについて説明する。
【００１５】
先ず、図３に示したように、容器本体４の開口部２の上方に蓋体２８を配置する。その後、蓋体２８の開口端縁に形成された断面略コ字状の開口端部５を、蓋体２８のフランジ３に向かって押し下げる。このように蓋体２８を外周縁に向かって順番に強く押し下げていれば、図４に示したように、蓋体２８のアンダーカット部３０がフランジ３を乗り越えて、蓋体２８と容器本体４とが互いに係合される。
【００１６】
ここで、蓋体２８を強く押し込む場合に、これまでは、蓋体２８と容器本体４との係合に際して、力の逃げ場がなかったため、特に嵌合の最終部分で、大きな力が必要となっていたが、本実施例によれば、スリット状の切欠３２が蓋体２８の４角部に形成されているため、変形に伴う力をこれらの切欠３２を介して発散することが可能になる。したがって、どの隅角部から嵌め合わせていったとしても、最終部分において、蓋体２８を容器本体４のフランジ３に被せることができる。
【００１７】
こうして蓋体２８と容器本体４との嵌合が終了したら、別部材として用意されたロック部材５０を、蓋体２８に形成した一対の凹所３３，３３間に水平翼５１の嵌合片７をそれぞれあてがうとともに、垂直翼５２の嵌合片７を折り返しリブ１０の開口端縁１０ａに嵌合させれば良い。
このようにして、別部材のロック部材５０を容器本体４と蓋体２８との間に装着すれば、より一層緊密に密閉容器を封止状態に維持することができる。
【００１８】
以上、本発明の一実施例について説明したが、本発明は上記実施例に何ら限定されない。
例えば、上記実施例では、一方面が開口した角筒状の容器について説明したが、本発明は、勿論、円筒状容器にも適用可能である。
さらに、別部材となるロック部材５０を使用しないで蓋体２８と容器本体４とを組み付けることもできる。
【００１９】
図５は、別部材のロック部材５０を使用しない他の実施例を示したものである。
この実施例では、蓋体２８には、前記実施例と同様に、スリット状の切欠３２と、その両側に一対の凹所３３，３３が形成されている点は、前記実施例と同じである。また、この凹所３３は、図３に示した凹所３３に比べて、より一層大きな傾斜を備えたテーパ状に形成されている。
【００２０】
この図５に示した実施例の上記実施例と異なる点としては、容器本体４のフランジ３における、蓋体２８の凹所３３，３３に対応する位置に、一対の突起３５，３５が形成されている点である。そして、この突起３５の幅Ａ１と上記テーパ状の凹所３３の基端側の幅Ａ２とは、Ａ１がＡ２に隙間なく嵌り合う大きさになっている。
【００２１】
これらの突起３５，３５が形成された容器本体４に、蓋体２８を装着する場合には、本体側の突起３５が、蓋体２８の凹所３３における比較的大きな開口端３３ａから凹所３３の内方に案内され、さらにテーパ状の斜面に沿って内方に案内され、その後、略同寸法に形成された凹所３３の天面３３ｂに突起３５が隙間無く嵌りあうので、蓋体２８と容器本体４との係合が強固となる。したがって、水平方向に位置ずれを起こすようなこともない。
【００２２】
【発明の効果】
以上、説明したように、本発明に係る運搬用容器によれば、蓋体の開口端縁にスリット状の切欠が設けられているので、嵌め合わすときに蓋体の変形した力をこの切欠により、吸収することができる。また、切欠が形成されていれば、蓋体は外れ易くなってしまうが、ロック部材の装着により、蓋体の外れを防止することができる。
【００２３】
また、本発明に係るロック部材によれば、コスト的にも安価で請求項１に記載の運搬用容器に好ましく使用することができる。
また、容器本体側に突起を設けた構造とすれば、ロック部材を別途に用意する必要がない。さらに、この突起が挿入される蓋体の凹所を、予めテーパ状に形成しておくことにより、その突起を容易に挿入できるとともに、突起が凹所内方に完全に挿入された後には、幅の狭くなった部分で突起が挟持されるので、幅方向に移動してしまうようなこともなく、水平方向への位置ずれを防止することができる。
【図面の簡単な説明】
【図１】図１は本発明の一実施例による容器本体の斜視図である。
【図２】図２は図１の容器本体に嵌合される蓋体の斜視図である。
【図３】図３は図１に示した容器本体に図２に示した蓋体を取り付けるときの部分斜視図である。
【図４】図４は図１に示した容器本体と図２に示した蓋体とを組み付けるとともに、これらの開口端部にロック部材を取り付けるときの分解斜視図である。
【図５】図５は本発明の他の実施例による容器本体と蓋体との取り付けを示す分解斜視図である。
【図６】図６は従来の容器本体を一部破断して示す正面図である。
【図７】図７は図６の容器本体に蓋体を取り付けたときの断面図である。
【符号の説明】
２　　　　開口部
３　　　　フランジ
４　　　　容器本体
５　　　　開口端部
１０ａ　　開口端縁
２８　　　蓋体
３０　　　アンダーカット部
３２　　　切欠
３３　　　凹所
３５　　　突起
５０　　　ロック部材
５１　　　水平翼
５２　　　中央翼
【図１】
2004067121.tif 000003
【図２】
2004067121.tif 000004
【図３】
2004067121.tif 000005
【図４】
2004067121.tif 000006
【図５】
2004067121.tif 000007
【図６】
2004067121.tif 000008
【図７】
2004067121.tif 000009